(57)【特許請求の範囲】
【請求項１】
中空函型状のコンクリート壁を多段層に積層した中空函型積層コンクリート構造物の施工方法において、
床板と本体とに分離可能に構成するとともにチェーンブロックを介して連結した作業ゲージを吊上げて、施工層よりも１段下層のコンクリート壁に設置したブラケットに作業ゲージの床板を載置し、
作業ゲージの床板と本体とを分離して、作業ゲージの本体を外部に吊り出し、
施工層よりも１段下層のコンクリート壁に設置した受具に施工層の内側型枠を載置し、
施工層の外側型枠と内側型枠との間にコンクリートを打設して施工層のコンクリート壁を形成し、
施工層の内側型枠を除去し、
施工層よりも１段下層のコンクリート壁に設置したブラケットに載置した作業ゲージの床板の上部に作業ゲージの本体を載置し、
施工層のコンクリート壁にブラケットと受具を設置し、
作業ゲージを吊上げて、施工層のコンクリート壁に設置したブラケットに作業ゲージの本体の中途部を載置するとともに、チェーンブロックで床板を施工層よりも１段下層のコンクリート壁に設置したブラケットから浮いた状態とし、
施工層よりも１段下層のコンクリート壁に設置したブラケットと受具とを除去し、
上記工程を繰返し行うことで中空函型状のコンクリート壁を多段層に積層した中空函型積層コンクリート構造物を構築することを特徴とする中空函型積層コンクリート構造物の施工方法。
【請求項２】
前記ブラケットは、コンクリート壁に取付ける取付部と、作業ゲージの床板又は本体を下側から支持する支持部とで構成するとともに、取付部に支持部を水平に倒伏した状態で作業ゲージの床板又は本体を下側から支持する支持姿勢とコンクリート壁に沿って垂直に起立した状態に収容した収容姿勢とに姿勢変更可能に取付けたことを特徴とする請求項１に記載の中空函型積層コンクリート構造物の施工方法。
【請求項３】
前記ブラケット及び受具は、コンクリート壁に埋設したセパレーターに取付けることを特徴とする請求項１又は請求項２に記載の中空函型積層コンクリート構造物の施工方法。
【発明の詳細な説明】
【技術分野】
【０００１】
本発明は、例えばケーソン（潜函）などに代表される中空函型状のコンクリート壁を多段層に積層した中空函型積層コンクリート構造物の施工方法に関するものである。
【背景技術】
【０００２】
従来より、ケーソン等の中空函型積層コンクリート構造物は、中空函型状のコンクリート壁を多段層に積層して構築している（たとえば、特許文献１参照。）。
【０００３】
この中空函型積層コンクリート構造物の施工においては、多段層に積層するコンクリート壁を形成する際に、その施工層よりも下層のコンクリート壁の内部で内側型枠の受具などを着脱する作業が必要となり、その作業を宙吊りした床板上で行っていた。
【先行技術文献】
【特許文献】
【０００４】
【特許文献１】特開２００６−２４１９０４号公報
【発明の概要】
【発明が解決しようとする課題】
【０００５】
ところが、上記従来の中空函型積層コンクリート構造物の施工方法においては、宙吊りした床板上で作業者が作業をしなければならず、安全性に問題があった。
【課題を解決するための手段】
【０００６】
そこで、請求項１に係る本発明では、中空函型状のコンクリート壁を多段層に積層した中空函型積層コンクリート構造物の施工方法において、床板と本体とに分離可能に構成するとともにチェーンブロックを介して連結した作業ゲージを吊上げて、施工層よりも１段下層のコンクリート壁に設置したブラケットに作業ゲージの床板を載置し、作業ゲージの床板と本体とを分離して、作業ゲージの本体を外部に吊り出し、施工層よりも１段下層のコンクリート壁に設置した受具に施工層の内側型枠を載置し、施工層の外側型枠と内側型枠との間にコンクリートを打設して施工層のコンクリート壁を形成し、施工層の内側型枠を除去し、施工層よりも１段下層のコンクリート壁に設置したブラケットに載置した作業ゲージの床板の上部に作業ゲージの本体を載置し、施工層のコンクリート壁にブラケットと受具を設置し、作業ゲージを吊上げて、施工層のコンクリート壁に設置したブラケットに作業ゲージの本体の中途部を載置するとともに、チェーンブロックで床板を施工層よりも１段下層のコンクリート壁に設置したブラケットから浮いた状態とし、施工層よりも１段下層のコンクリート壁に設置したブラケットと受具とを除去し、上記工程を繰返し行うことで中空函型状のコンクリート壁を多段層に積層した中空函型積層コンクリート構造物を構築することにした。
【０００７】
また、請求項２に係る本発明では、前記請求項１に係る本発明において、前記ブラケットは、コンクリート壁に取付ける取付部と、作業ゲージの床板又は本体を下側から支持する支持部とで構成するとともに、取付部に支持部を水平に倒伏した状態で作業ゲージの床板又は本体を下側から支持する支持姿勢とコンクリート壁に沿って垂直に起立した状態に収容した収容姿勢とに姿勢変更可能に取付けることにした。
【０００８】
また、請求項３に係る本発明では、前記請求項１又は請求項２に係る本発明において、前記ブラケット及び受具は、コンクリート壁に埋設したセパレーターに取付けることにした。
【発明の効果】
【０００９】
そして、本発明では、以下に記載する効果を奏する。
【００１０】
すなわち、本発明では、コンクリート壁に設置したブラケットに載置した作業ゲージにおいてコンクリート壁の内部での作業を行うことができるので、作業の安全性を向上させることができる。
【図面の簡単な説明】
【００１１】
【図１】本発明に係る中空函型積層コンクリート構造物を示す斜視図。
【図２】本発明に係る中空函型積層コンクリート構造物の施工方法を示す説明図。
【図３】本発明に係る中空函型積層コンクリート構造物の施工方法を示す説明図。
【図４】本発明に係る中空函型積層コンクリート構造物の施工方法を示す説明図。
【図５】本発明に係る中空函型積層コンクリート構造物の施工方法を示す説明図。
【図６】本発明に係る中空函型積層コンクリート構造物の施工方法を示す説明図。
【図７】本発明に係る中空函型積層コンクリート構造物の施工方法を示す説明図。
【図８】本発明に係る中空函型積層コンクリート構造物の施工方法を示す説明図。
【図９】本発明に係る中空函型積層コンクリート構造物の施工方法を示す説明図。
【図１０】本発明に係る中空函型積層コンクリート構造物の施工方法を示す説明図。
【発明を実施するための形態】
【００１２】
以下に、本発明に係る中空函型積層コンクリート構造物の施工方法について図面を参照しながら具体的に説明する。
【００１３】
図１に示すように、ケーソン等の中空函型積層コンクリート構造物１は、中空函型状のコンクリート壁2〜5を多段層（ここでは、４層とする。）に積層して構築されている。
【００１４】
この中空函型積層コンクリート構造物１を構築するための施工方法は、まず、図２(a)に示すように、第１層のコンクリート壁２を形成するために、第１層の外側型枠と内側型枠とをセパレーター６で間隔を保持して組立てるとともに、外側型枠と内側型枠との間に第１層の鉄筋７を配筋した後に、外側型枠と内側型枠との間にコンクリートを打設して養生することで第１層のコンクリート壁２を形成し、その後、第１層のコンクリート壁２の上端部に第２層の鉄筋８を配筋し、内側型枠を除去する。
【００１５】
次に、図２(b)に示すように、第１層のコンクリート壁２の内部において、第１層のコンクリート壁２に埋設されたセパレーター６に対向状に対を成すブラケット9,9と受具10,10とを取付ける。
【００１６】
ここで、ブラケット９は、受具10を取付けたセパレーター６よりも下方位置のセパレーター６に取付けており、コンクリート壁２にセパレーター６を介して取付けるための取付部9aと、重量物を下側から支持するための支持部9bとで構成し、しかも、取付部9aに支持部9bを水平に倒伏した状態で重量物を下側から支持する支持姿勢（図２(b)中の左側に示す姿勢。）とコンクリート壁２に沿って垂直に起立した状態に収容した収容姿勢（図２(b)中の右側に示す姿勢。）とに90度の角度範囲で自由に姿勢変更可能に取付けている。
【００１７】
また、受具10は、ブラケット９を取付けたセパレーター６よりも上方位置のセパレーター６に取付けており、断面Ｌ字状のアングル部材で構成している。
【００１８】
次に、図３(a)に示すように、平板状の床板11をクレーンで吊下げて、第１層のコンクリート壁２に取付けたブラケット９の支持部9bの上部に床板11を載置する。
【００１９】
次に、図３(b)に示すように、篭状の第２層の内側型枠12をクレーンで吊下げて、第１層のコンクリート壁２に取付けた受具10の上部に内側型枠12を取付ける。その際に、作業者は、床板11の上で作業を行うことができる。
【００２０】
次に、図４(a)に示すように、第２層の外側型枠と内側型枠12とをセパレーター13で間隔を保持して組立てた後に、外側型枠と内側型枠12との間にコンクリートを打設して養生することで第２層のコンクリート壁３を形成する。
【００２１】
次に、図４(b)に示すように、第２層のコンクリート壁３の上端部に第３層の鉄筋14を配筋し、その後、内側型枠12をクレーンで吊上げて除去する。
【００２２】
次に、図５(a)に示すように、床板11と本体15とに分離可能に構成した作業ゲージ16の本体15をクレーンで吊下げ、第１層のコンクリート壁２に取付けたブラケット９に載置した床板11の上部に作業ゲージ16の本体15を載置し、作業ゲージ16の本体15と床板11とをチェーンブロック17を介して連結する。
【００２３】
ここで、作業ゲージ16の本体15は、矩形箱枠形状となっており、中途部に作業床18を形成して中途部の作業床18においても作業者が作業できるようになっている。なお、作業ゲージ16には、梯子等を設置して床板11や作業床18の間などを昇降移動できるようにしてもよい。
【００２４】
次に、図５(b)に示すように、第２層のコンクリート壁３の内部において、第２層のコンクリート壁３に埋設されたセパレーター13に対向状に対を成すブラケット19,19と受具20,20とを取付ける。ここでも、受具20をブラケット19よりも上方位置で取付けている。また、作業者は、作業ゲージ16の本体15の中途部に形成した作業床18の上で作業を行うことができる。
【００２５】
次に、図６(a)に示すように、作業ゲージ16をクレーンで上方に徐々に吊上げていき、第２層のコンクリート壁３に取付けたブラケット19の上部に作業ゲージ16の本体15の中途部の作業床18を載置するとともに、チェーンブロック17で床板11を第１層のコンクリート壁２に取付けたブラケット９から若干浮いた状態とする。その際に、ブラケット19は、作業床18の上昇に伴って作業床18と当接しながら自然に支持姿勢から収容姿勢となり作業床18の通過後に再び自重で自然に収容姿勢から支持姿勢になる。なお、作業者が強制的にブラケット19の姿勢変更を行ってもよい。
【００２６】
次に、図６(b)に示すように、第１層のコンクリート壁２に取付けたブラケット９と受具10を取外す。その際に、作業者は、床板11又は本体15の上部で作業を行うことができる。
【００２７】
次に、図７(a)に示すように、作業ゲージ16をクレーンで上方に徐々に吊上げていき、第２層のコンクリート壁３に取付けたブラケット19の上部に作業ゲージ16の床板11を載置する。その際にも、ブラケット19は、床板11の上昇に伴って床板11と当接しながら自然に支持姿勢から収容姿勢となり床板11の通過後に再び自重で自然に収容姿勢から支持姿勢になる。なお、作業者が強制的にブラケット19の姿勢変更を行ってもよい。
【００２８】
次に、図７(b)に示すように、作業ゲージ16の本体15と床板11とを分離して、本体15をクレーンで吊上げて除去し、篭状の第３層の内側型枠12（ここでは、第２層の内側型枠12と同一のものを用いているが、異なる形状のものを用いてもよい。）をクレーンで吊下げて、第２層のコンクリート壁３に取付けた受具20の上部に内側型枠12を取付ける。その際に、作業者は、床板11の上で作業を行うことができる。
【００２９】
その後、図８(a)に示すように、第２層と同様に、第３層の外側型枠と内側型枠12とをセパレーター21で間隔を保持して組立てた後に、外側型枠と内側型枠12との間にコンクリートを打設して養生することで第３層のコンクリート壁４を形成する。また、第３層のコンクリート壁４の上端部に第４層の鉄筋22を配筋した後に、内側型枠12をクレーンで吊上げて除去する。また、作業ゲージ16の本体15をクレーンで吊下げ、第２層のコンクリート壁３に取付けたブラケット19に載置した床板11の上部に作業ゲージ16の本体15を載置し、作業ゲージ16の本体15と床板11とをチェーンブロック17を介して連結する。また、第３層のコンクリート壁４の内部において、第３層のコンクリート壁４に埋設されたセパレーター21に対向状に対を成すブラケット23,23と受具24,24とを取付ける。ここで、ブラケット23と受具24は、先に取外したブラケット9や受具10を再利用することもできる。また、作業ゲージ16をクレーンで上方に徐々に吊上げていき、第３層のコンクリート壁４に取付けたブラケット23の上部に作業ゲージ16の作業床18を載置するとともに、チェーンブロック17で床板11を第２層のコンクリート壁３に取付けたブラケット19から若干浮いた状態とし、第２層のコンクリート壁３に取付けたブラケット19と受具20を取外す。また、作業ゲージ16をクレーンで上方に徐々に吊上げていき、第３層のコンクリート壁４に取付けたブラケット23の上部に作業ゲージ16の床板11を載置する。さらに、作業ゲージ16の本体15と床板11とを分離して、本体15をクレーンで吊上げて除去し、篭状の第４層の内側型枠12（ここでは、第２層及び第３層の内側型枠12と同一のものを用いているが、異なる形状のものを用いてもよい。）をクレーンで吊下げて、第３層のコンクリート壁４に取付けた受具24の上部に内側型枠12を取付ける。なお、ここでは４層の場合について説明しているが、さらに多層の場合には上記工程を繰り返して行う。
【００３０】
次に、図８(b)に示すように、第４層の外側型枠と内側型枠12とをセパレーター25で間隔を保持して組立てた後に、外側型枠と内側型枠12との間にコンクリートを打設して養生することで第４層のコンクリート壁５を形成する。
【００３１】
次に、図９(a)に示すように、内側型枠12をクレーンで吊上げて除去した後に、作業ゲージ16の本体15をクレーンで吊下げ、第３層のコンクリート壁４に取付けたブラケット23に載置した床板11の上部に作業ゲージ16の本体15を載置し、作業ゲージ16の本体15と床板11とをチェーンブロック17を介して連結する。
【００３２】
次に、図９(b)に示すように作業ゲージ16をクレーンで上方に徐々に吊上げていき、チェーンブロック17で床板11を第３層のコンクリート壁４に取付けたブラケット23から若干浮いた状態とする。
【００３３】
最後に、図10に示すように、第３層のコンクリート壁４に取付けたブラケット23と受具24を取外す。その際に、作業者は、床板11又は本体15の上部で作業を行うことができる。その後、作業ゲージ16をクレーンで吊上げて除去する。これにより、中空函型積層コンクリート構造物１を構築することができる。
【００３４】
以上に説明したように、上記中空函型積層コンクリート構造物１の施工方法においては、以下の工程を繰返し行っている。
１．床板11と本体15とに分離可能に構成した作業ゲージ16を吊上げて、施工層よりも１段下層のコンクリート壁2〜4に設置したブラケット9,19,23に作業ゲージ16の床板11を載置する工程。
２．作業ゲージ16の床板11と本体15とを分離して、作業ゲージ16の本体15を外部に吊り出す工程。
３．施工層よりも１段下層のコンクリート壁2〜4に設置した受具10,20,24に施工層の内側型枠12を載置する工程。
４．施工層の外側型枠と内側型枠12との間にコンクリートを打設して施工層のコンクリート壁3〜5を形成する工程。
５．施工層の内側型枠12を除去する工程。
６．施工層よりも１段下層のコンクリート壁2〜4に設置したブラケット9,19,23に載置した作業ゲージ16の床板11の上部に作業ゲージ16の本体15を載置する工程。
７．施工層のコンクリート壁3,4にブラケット19,23と受具20,24を設置する工程。
８．作業ゲージ16を吊上げて、施工層のコンクリート壁3,4に設置したブラケット19,23に作業ゲージ16の本体15の中途部を載置する工程。
９．施工層よりも１段下層のコンクリート壁2〜4に設置したブラケット9,19,23と受具10,20,24とを除去する工程。
なお、セパレーターのピーコン処理（穴埋め処理）等の内壁処理も併せて作業ゲージ16を利用して行う。また、最上層のブラケット取外しやピーコン処理等の内壁処理については、最上層のコンクリート壁上にＨ鋼などの支持体を載置し、支持体で作業ゲージ16を支持し、作業ゲージ16上で行う。
【００３５】
そのため、上記中空函型積層コンクリート構造物１の施工方法では、コンクリート壁2〜4に設置したブラケット9,19,23に載置した作業ゲージ16においてコンクリート壁2〜5の内部での作業を行うことができるので、作業の安全性を向上させることができる。
【００３６】
特に、ブラケット9,19,23が、コンクリート壁2〜4に取付ける取付部9aと、作業ゲージ16の床板11又は本体15（作業床18）を下側から支持する支持部9bとで構成されており、しかも、取付部9aに支持部9ｂを水平に倒伏した状態で作業ゲージ16の床板11又は本体15（作業床18）を下側から支持する支持姿勢とコンクリート壁2〜4に沿って垂直に起立した状態に収容した収容姿勢とに姿勢変更可能に取付けた構成となっているために、作業ゲージ16の昇降を円滑に行うことができ、作業の容易性を向上させることができる。
【００３７】
さらに、ブラケット9,19,23及び受具10,20,24をコンクリート壁2〜4に埋設したセパレーター6,13,21に取付けているために、ブラケット9,19,23及び受具10,20,24の取付けに特別な部品や作業が必要なくなり、作業の経済性を向上させることができる。
【符号の説明】
【００３８】
１  中空函型積層コンクリート構造物      2〜5  コンクリート壁
６  セパレーター                        ７  鉄筋
８  鉄筋                                ９  ブラケット
9a  取付部                              9b  支持部
10  受具                                11  床板
12  内側型枠                            13  セパレーター
14  鉄筋                                15  本体
16  作業ゲージ                          17  チェーンブロック
18  作業床                              19  ブラケット
20  受具                                21  セパレーター
22  鉄筋                                23  ブラケット
24  受具                                25  セパレーター
【要約】
【課題】中空函型積層コンクリート構造物を安全に構築できるようにすること。
【解決手段】本発明では、施工層よりも１段下層に設置したブラケットに作業ゲージの床板を載置し、作業ゲージの床板と本体とを分離して、本体を外部に吊り出し、施工層よりも１段下層に設置した受具に施工層の内側型枠を載置し、施工層の外側型枠と内側型枠との間にコンクリートを打設して施工層のコンクリート壁を形成し、施工層の内側型枠を除去し、施工層よりも１段下層に設置したブラケットに載置した作業ゲージの床板の上部に本体を載置し、施工層のブラケットと受具を設置し、作業ゲージを吊上げて、施工層に設置したブラケットに本体の中途部を載置し、施工層よりも１段下層に設置したブラケットと受具とを除去し、上記工程を繰返し行うことで中空函型積層コンクリート構造物を構築することにした。
【選択図】図９【図１】
0004668355.tif 000002
【図２】
0004668355.tif 000003
【図３】
0004668355.tif 000004
【図４】
0004668355.tif 000005
【図５】
0004668355.tif 000006
【図６】
0004668355.tif 000007
【図７】
0004668355.tif 000008
【図８】
0004668355.tif 000009
【図９】
0004668355.tif 000010
【図１０】
0004668355.tif 000011